(57)【要約】【課題】火災発生時に、視覚および聴覚で避難誘導灯に気付くことが可能な避難誘導装置【解決手段】警報ベルの作動にともない信号を発生する信号発生器が設けられた火災報知機と、信号の入力により発光色が変化する光源と、光源を発光させるための回路、および、信号の入力により音声を出力する音声発信機を設けた避難誘導灯と、を有する。【選択図】図１
2008033753.tif 000002
【特許請求の範囲】
【請求項１】
警報ベルの作動にともない信号を発生する信号発生器が設けられた火災報知機と、
前記信号の入力により発光色が変化する光源と、前記光源を発光させるための回路と、を設けた避難誘導灯を有する避難誘導装置。
【請求項２】
警報ベルの作動にともない信号を発生する信号発生器が設けられた火災報知機と、
前記信号の入力により音声を出力する音声発信機を設けた避難誘導灯を有する避難誘導装置。
【請求項３】
警報ベルの作動にともない信号を発生する信号発生器が設けられた火災報知機と、
前記信号の入力により発光色が変化する光源と、前記光源を発光させるための回路、および、前記信号の入力により音声を出力する音声発信機を設けた避難誘導灯と、
を有する避難誘導装置。
【請求項４】
請求項１または請求項３に記載の避難誘導装置において、
光源がＬＥＤである避難誘導装置。
【請求項５】
請求項１、３、４のいずれかに記載の避難誘導装置において、
前記避難誘導灯は、前記回路を含み、入力される前記信号に基づいて前記光源の発光色を所定の色に調整する光源制御部を有することを特徴とする避難誘導装置。
【請求項６】
請求項２ないし請求項４のいずれかに記載の避難誘導装置において、
前記避難誘導灯は、入力される前記信号に基づいて所定の音声を前記音声発信機から出力させる音声出力制御部を有することを特徴とする避難誘導装置。
【請求項７】
請求項６に記載の避難誘導装置において、
前記音声発信機は、音声を示すデータが格納されている記憶部を備え、
前記音声出力制御部は、入力される前記信号に基づく出力音声を前記データから検索し、特定した音声を前記音声発信機から出力させることを特徴とする避難誘導装置。
【発明の詳細な説明】
【技術分野】
【０００１】
本発明は、火災発生時における避難誘導装置に関する。
【背景技術】
【０００２】
従来、デパートを含む広い建物には、火災が発生した場合に備えて、火災が発生したことを知らせるための火災報知機、および避難誘導灯が設置されている。火災が発生すると、火災報知機に設けられた警報ベルが作動する。避難誘導灯は避難する人を非常口に誘導するために避難経路に沿って設けられている。
【０００３】
従来の避難誘導灯は、建物の天井などの高くて目につきにくい場所に位置し、また蛍光灯などを用いて表示する機能しか持たず、火災時に特別な動作を行わない。そのため、火災時に避難誘導灯の存在に気付きにくい問題があった。
【０００４】
このような問題に対し、火災時の避難誘導を迅速かつ的確に行う目的で様々な工夫がなされている。例えば、警報ベルの作動にともなって避難方向を示すために、警報ベルとＬＥＤ（Ｌｉｇｈｔ  Ｅｍｉｔｔｉｎｇ  Ｄｉｏｄｅ）とをリレーを介して接続し、ＬＥＤを規則的に点滅させる避難誘導装置が開示されている（特許文献１参照）。
【特許文献１】特開２０００−３０１５９号公報
【発明の開示】
【発明が解決しようとする課題】
【０００５】
警報ベルの作動に連動して避難方向が示されると、従来よりも避難時の誘導を迅速かつ的確に行うことが可能である。しかし、特許文献１に開示された避難誘導装置には、火災時に発生する煙が建物内に充満しＬＥＤが見えなくなると、非常口に誘導することが困難になるという問題が起こり得る。
【０００６】
本発明は、上述したような問題点を解決するためになされたものであり、火災報知機と連動する避難誘導灯にＬＥＤおよび音声発信機を設けることによって、火災発生時に、視覚および聴覚を用いて避難誘導灯に気付くことが可能な避難誘導装置を提供することを目的とする。
【課題を解決するための手段】
【０００７】
上記目的を達成するために本発明の避難誘導装置は、
警報ベルの作動にともない信号を発生する信号発生器が設けられた火災報知機と、
前記信号の入力により発光色が変化する光源と、前記光源を発光させるための回路と、を設けた避難誘導灯を有する。
【０００８】
また、警報ベルの作動にともない信号を発生する信号発生器が設けられた火災報知機と、
前記信号の入力により音声を出力する音声発信機を設けた避難誘導灯を有する。
【０００９】
また、警報ベルの作動にともない信号を発生する信号発生器が設けられた火災報知機と、
前記信号の入力により発光色が変化する光源と、前記光源を発光させるための回路、および、前記信号の入力により音声を出力する音声発信機を設けた避難誘導灯と、
を有する。
【００１０】
また、光源がＬＥＤであることとしてもよい。
【００１１】
また、前記回路を含み、入力される前記信号に基づいて前記光源の発光色を所定の色に調整する光源制御部を有することとしてもよい。
【００１２】
また、入力される前記信号に基づいて所定の音声を前記音声発信機から出力させる音声出力制御部を有することとしてもよい。
【００１３】
この場合、前記音声発信機は、音声を示すデータが格納されている記憶部を備え、
前記音声出力制御部は、入力される前記信号に基づく出力音声を前記データから検索し、特定した音声を前記音声発信機から出力させることとしてもよい。
【００１４】
本発明の避難誘導装置は、上述したように火災報知機と避難誘導灯や音声出力とが連動して行われる。警報ベルの作動にともなって発生する信号が入力されると、避難誘導灯の点灯色の変化や、避難誘導に関する音声出力のいずれか、または両方が行われる。
【発明の効果】
【００１５】
本発明では、火災が発生すると避難誘導灯は、避難誘導灯の点灯色の変化、避難誘導に関する音声出力、のいずれか、または両方が行われる。このため、火災が発生して避難する際に視覚的に気づきやすいものとなり、さらに、音声出力が行われる場合には聴覚を用いて注意を喚起することとなり、従来よりも避難誘導灯に気付きやすいものとなる。この結果、火災が発生した際に迅速かつ的確に避難することが可能となる。
【発明を実施するための最良の形態】
【００１６】
本実施形態の避難誘導装置の構成について説明する。
【００１７】
図１は、本実施形態の避難誘導装置の一構成例を示すブロック図である。
【００１８】
図１に示すように、本実施形態の避難誘導装置は、火災時に信号を発信する火災報知機１と、火災報知機１からの信号に応じて点灯する避難誘導灯２とを有する。
【００１９】
火災報知機1は、非常ボタンが設けられた警報ベル１１、警報ベル１１が作動すると信号を発生する信号発生器１２、および信号発生器１２からの信号を避難誘導灯２に送信する送信機１３を含む構成である。
【００２０】
警報ベル１１と配線を介して接続された信号発生器１２は、警報ベル１１の非常ボタンを押すと予め設定された信号を発生し、その信号を送信機１３へ出力する。送信機１３は、信号伝送路３１を介して信号発生器１２で発生した信号を受け取り、避難誘導灯２へ送信する。
【００２１】
避難誘導灯２は、送信機１３からの信号を受信する受信機２１と、避難誘導灯２の光源であるＬＥＤ２２と、音声を出力する音声発信機２３と、受信機２１からの信号に基づいてＬＥＤ２２を発光させるＬＥＤ制御部２４と、受信機２１からの信号に基づいて音声発信機２３から音声を出力させる音声出力制御部２５とを有する。
【００２２】
受信機２１は、送信機１３から受信した信号を信号伝送路３２を介してＬＥＤ制御部２４および音声出力制御部２５へそれぞれ出力する。
【００２３】
ＬＥＤ２２は３つの発光素子を有し、それぞれの発光色は赤色、緑色および青色である。ＬＥＤ制御部２４によってこれらの３色の組み合わせが調整されると、これらの３色以外の色にも発光することが可能になる。例えば、これらの３色が全て重なるように調整されると、ＬＥＤ２２の発光色は白になる。
【００２４】
音声発信機２３は、スピーカと、出力音声を示すデータが格納されている記憶部とを含む構成である。記憶部に格納されているデータの中で音声出力制御部２５の制御信号に対応する音声がスピーカから出力される。
【００２５】
ＬＥＤ制御部２４は、ＬＥＤ２２の３色の発光素子をそれぞれ発光させるための点灯回路を含み、受信機２１からの信号に基づいて、これらの３色を組み合わせてＬＥＤ２２を所定の色に発光させるための調整を行う。また、所定の色が複数ある場合、発光させる順番および周期は、受信機２１からの信号に基づいて予め決められている。なお、受信機２１から信号を受信していないときである通常時のＬＥＤ２２の発光色は、ＬＥＤ制御部２４で予め設定されている。
【００２６】
音声出力制御部２５は、受信機２１からの信号に基づいて、音声発信機２３の記憶部に格納されているデータから出力する音声を検索し、特定した音声を音声発信機２３のスピーカから出力させる。
【００２７】
次に、本実施形態の避難誘導装置の動作について説明する。ここでは、火災報知機から避難誘導灯へ無線で信号を送信する場合とする。
【００２８】
図２は、本実施例の避難誘導装置において、ＬＥＤ２２を発光させる動作手順を示すフローチャートである。
【００２９】
図２に示すように、非常ボタンが押されると警報ベル１１が作動する（ステップ１０１）。なお、警報ベルを作動させる方法は、非常ボタンを押すことに限定されず、例えば、感知器が火災を感知したときに連動させてもよい。この場合、非常ボタンを押すために警報ベルを探す手間が省かれ、避難に要する時間が短縮される。
【００３０】
警報ベル１１が作動すると、警報ベル１１と配線を介して接続される信号発生器１２が所定の信号を発生させ、この信号は信号伝送路３１を介して送信機１３から発信される（ステップ１０２）。
【００３１】
送信機１３から発信された信号は、避難誘導灯２の受信機２１に受信される（ステップ１０３）。受信機２１は、受信した信号を信号伝送路３２を介してＬＥＤ制御部２４へ出力する。
【００３２】
受信機２１からの信号がＬＥＤ制御部２４に入力されると、ＬＥＤ制御部２４は、所定の色にＬＥＤ２２を発光させるために、ＬＥＤ２２の発光素子の３色を組み合わせて発光色を調整する（ステップ１０４）。そして、ＬＥＤ制御部２４は、点灯回路を介してＬＥＤ２２をステップ１０４で調整した色に発光させる（ステップ１０５）。このとき、ＬＥＤ２２は、火災発生の際に避難誘導灯を目立たせるために通常時と異なるように発光する。例えば、通常時と異なる色で発光する。また、複数の色が設定され、これらの色を所定の順序および周期で変化させてもよい。
【００３３】
図３は、本実施例の避難誘導装置において、音声を出力させる動作手順を示すフローチャートである。なお、ステップ２０１〜２０３の動作は、ステップ１０１〜１０３と同じであるため、その詳細な説明は省略する。
【００３４】
受信機２１からの信号が信号伝送路３２を介して音声出力制御部２５に入力されると、音声出力制御部２５は、音声発信機２３の記憶部に格納されているデータの中で入力された信号に対応する音声を検索する（ステップ２０４）。そして、ステップ２０４で特定された音声がスピーカから出力される（ステップ２０５）。出力される音声の一例として、「非常口はこちらです。」がある。
【００３５】
本実施形態の避難誘導装置は、上述したように火災報知機と避難誘導灯とが連動し、警報ベルの作動にともなって発生する信号が入力されると、避難誘導灯の点灯色は変化する。点灯色が変化するため、避難誘導灯が目に付くようになる。また、避難誘導灯から避難誘導に関する音声が出力されるため、煙が充満して避難誘導灯が見えなくなったとしても、聴覚でその存在に気付くことが可能である。
【００３６】
なお、図２と図３にそれぞれ示される発光動作と音声出力動作は、警報ベルの作動にともなって発生する信号の入力により、両方またはどちらか一方のみ実施されることとしてもよい。
【００３７】
また、避難誘導灯２の光源は、ＬＥＤに限定するものでなく発光色を変化させるものであればよく、例えば、発光色がそれぞれ異なる複数の蛍光灯や電球を用いることとしてもよい。
【００３８】
また、送信機１３から発信された信号を受信する避難誘導灯は、一つに限らず複数あってもよい。この場合、建物の中において火災が発生したフロアの警報ベルが作動すると、火災が発生していないフロアに設置されている避難誘導灯も一斉に連動するため、より多くの人を迅速かつ的確に避難させることが可能である。
【００３９】
また、警報ベルの作動にともない発信される信号の伝達手段は無線に限定せず、有線でもよい。この場合、信号発生器１２からの信号が信号伝送路３１、３２を介して直接ＬＥＤ制御部２４および音声出力制御部２５に伝達されるため、図１に示す送信機１３および受信機２１は不要となる。また、電力線搬送通信を用いてもよい。この場合、信号を重畳および分離させるための装置が必要になるが、信号伝送路は不要である。
【００４０】
また、ＬＥＤ制御部２４と音声出力制御部２５とが一つになった制御部が、警報ベルの作動にともなって発信される信号に基づいてＬＥＤを発光させる仕様および出力する音声を決定してもよい。
【図面の簡単な説明】
【００４１】
【図１】本実施形態の避難誘導装置の一構成例を示したブロック図である。
【図２】本実施形態のＬＥＤを発光させる動作手順を示すフローチャートである。
【図３】本実施形態の音声を出力させる動作手順を示すフローチャートである。
【符号の説明】
【００４２】
１１  警報ベル
１２  信号発生器
１３  送信機
２１  受信機
２２  ＬＥＤ
２３  音声発信機
２４  ＬＥＤ制御部
２５  音声出力制御部
３１、３２  信号伝送路
【図１】
2008033753.tif 000003
【図２】
2008033753.tif 000004
【図３】
2008033753.tif 000005